(57)【要約】【課題】携帯電話にストラップを介して吊り下げているキャラクター等の玩具を、簡単に３次元の立体的に駆動制御してより趣向性を高めることにある。【解決手段】携帯電話１のテンキー５の入力による発生音で制御するテンキー音変換アダプターを携帯電話１に配設するようにして、上記携帯電話１のイヤホンジャックにイヤホン接続ケーブルを介して３次元の立体的に駆動制御する駆動制御機器を配設した玩具を接続するようにしている。そして、上記携帯電話１または別の携帯電話、通常の電話の通信によるテンキーの入力での発生音を、上記テンキー音変換アダプターでディジタル変換して上記イヤホンジャックに接続した玩具２を３次元の立体的に駆動制御するようにしている。インターネットの所要のサイトにアクセスしてこのサイトを介して玩具２を駆動制御することもできる。【選択図】    図３
2004173928.tif 000002
【特許請求の範囲】
【請求項１】
携帯電話のテンキー入力による発生音で制御するテンキー音変換アダプターを携帯電話に配設するようにして、上記携帯電話のイヤホンジャックにイヤホン接続ケーブルを介して３次元の立体的に駆動制御する駆動制御機器を配設した玩具を接続し、
上記携帯電話または別の携帯電話、通常の電話の通信によるテンキーの入力での発生音を上記テンキー音変換アダプターでディジタル変換して上記イヤホンジャックに接続した玩具を３次元の立体的に駆動制御するようにしたことを特徴とする携帯電話用玩具。
【請求項２】
ディジタルの携帯電話の接続部に接続ケーブルを介して３次元の立体的に駆動制御する駆動制御機器を配設した玩具を接続し、
そのディジタルの携帯電話のテンキーの入力またはディジタル電話回線を介して上記携帯電話に接続した玩具を３次元の立体的に駆動制御するようにしたことを特徴とする携帯電話用玩具。
【請求項３】
動物様、昆虫様、人物やアニメ、著作物のキャラクター様等に玩具を形成し、この玩具の目部に発光ＬＥＤ、口部にスピーカーやマイク、本体に頭部旋回用モーター、手足駆動用モーター等を配設して、携帯電話により玩具を３次元の立体的に駆動制御するようにした請求項１または２に記載の携帯電話用玩具。
【請求項４】
玩具を接続した携帯電話からインターネットの所要のサイトにアクセスして、このサイトを介して玩具を駆動制御するようにした請求項１ないし３のいずれかに記載の携帯電話用玩具。
【発明の詳細な説明】
【０００１】
【発明が属する技術分野】
本発明は、通信制御分野や玩具分野における携帯電話用玩具に関するものである。
【０００２】
【従来の技術】
近年、携帯電話の著しい普及とともに携帯電話が低価格となり、個人間、企業間の連絡や、ｉモード（登録商標）の利用によってメールやインターネットも可能となって、ますます広い分野に利用されている。特に近年、携帯電話にストラップを付けてキャラクター様の玩具を吊り下げてたものに人気がある。
【０００３】
【先行関連文献】
先行関連文献について調査したところ、特開２００１−２４７４９、特開２０００−２３６７１、特開２００１−３２６７４４が検出された。特開２００１−２４７４９は、人形玩具に着信電波を検波する検波手段等を内装して携帯電話を保管できるようにし、携帯電話の着信報知をするようにしているとともに、人形玩具としても遊べるようにしている。
【０００４】
また、特開２０００−２３６７１は、携帯電話にモーターを内装したキャラクター人形等の玩具をストラップで吊り下げ、中継局からの電磁波信号を受信するとモーターが駆動し、手や足が揺れ動いて着信を告知するようにしている。
【０００５】
さらに、特開２００１−３２６７４４は、携帯電話にキャラクターの玩具を接続してサーバーと接続するようにし、データを交換したり、上記玩具が成長するように育成ゲーム機能を設けることが記載されている。
【０００６】
【発明が解決しようとする課題】
しかし、前２者のものは携帯電話の着信を報知するようにしただけで趣向の少ないものであり、後者のものはキャラクターの玩具をサーバーとデータ交換して会話ができるようにしたり、適宜に音声を発生してより趣向をこらしているが、キャラクターの玩具の動きが２次元的で、その表現が乏しいものであった。
【０００７】
このように従来のものでは、電話の着信やサーバアクセスによって携帯電話に接続したキャラクターの玩具を駆動するようにしているものがあるが、それらは単に１つのモーターが回転するとかの極めて限られたもので、機能性に乏しいものであり、また所有者の自由な意思によってキャラクター等の玩具を３次元の立体的に自由自在に駆動制御してより趣向性を高められるものでなかった。
【０００８】
【課題を解決するための手段】
本発明は、上記のような点に鑑みたもので、上記の課題を解決するために、携帯電話のテンキー入力による発生音で制御するテンキー音変換アダプターを携帯電話に配設するようにして、上記携帯電話のイヤホンジャックにイヤホン接続ケーブルを介して３次元の立体的に駆動制御する駆動制御機器を配設した玩具を接続し、上記携帯電話または別の携帯電話、通常の電話の通信によるテンキーの入力での発生音を上記テンキー音変換アダプターでディジタル変換したり、直接ディジタル信号を送信して、上記イヤホンジャックに接続した玩具を３次元の立体的に駆動制御することを特徴とする携帯電話用玩具を提供するにある。
【０００９】
【発明の実施の形態】
本発明の携帯電話用玩具は、携帯電話のテンキー入力による発生音で制御するテンキー音変換アダプターを携帯電話に配設するようにして、上記携帯電話のイヤホンジャックにイヤホン接続ケーブルを介して３次元の立体的に駆動する駆動機器を配設した玩具を接続し、上記携帯電話または別の携帯電話、通常の電話の通信によるテンキーの入力での発生音を上記テンキー音変換アダプターでディジタル変換したり、直接ディジタル信号を送信して、上記イヤホンジャックに接続した玩具を３次元の立体的に駆動制御することを特徴としている。
【００１０】
携帯電話１は、図１のようにキャラクター様や動物様、ロボット等の玩具２をイヤホンジャック３にイヤホン接続ケーブル４を介して接続し、携帯電話１のテンキー５を押して発信する発信音を利用して玩具２を３次元の立体的な動作を行えるように駆動制御するようにしている。
【００１１】
この携帯電話１には、図２のようにテンキー音変換アダプター６を玩具２に内装していて、テンキー音変換アダプター６には図のようにテンキー音をディジタル変換可能にトーンデコーダー９と逆変換のトーンエンコーダー８のテンキー音信号変換器１０を設け、このテンキー音信号変換器１０に入出力用の制御回路１１を接続して、携帯電話１のテンキー５の所要の発信音を分析してインターフェイス回路１２を介して玩具２の駆動部、センサーによって玩具２を制御するようにしている。
【００１２】
トーンエンコーダー８、トーンデコーダー９のテンキー音信号変換器１０には、携帯電話１のテンキー５の０、１、２、・・・９および※、＃の発信音をオーディオディジタル解析してディジタル変換または逆変換できるもので、公知のものを採択することができる。
【００１３】
【表１】
表１  電話器の玩具制御説明表
2004173928.tif 000003
玩具２としては、表１のように動物や昆虫等の生物擬似体、花等の植物擬似体、著名人、アニメ、著作物等のキャラクターや、ロボット等の人物擬似体、自動車、航空機、飛行機、列車、船、バイク等の走行擬似体、その他のグッズ体、ゲーム機器などとすることができ、これらの物体に所要の各種センサー、発光体、表示器、オーディオ機器、各種アクチュエータ等を適宜組み合わせて配設して、玩具２を３次元の立体的に、多機能的に駆動制御するようにできる。
【００１４】
たとえば、図３は、ロボットの玩具２の一例で、頭部１３を本体１４に回転可能に軸着し、腕１５、脚１６を本体１４に上下可能にリンク機構等で取着している。そして、頭部１３の目１７に発光ＬＥＤ１８を、口１９にスピーカー２０を装着し、本体１４にモーター２１を内装して所要の減速比のギヤー２２と角度センサー２３を介して頭部１３を回転可能に連結し、本体１４にマグネットコイル２４等を内装して、腕１５、脚１６を上下に昇降駆動するようにしている。
【００１５】
そしてまた、本体１４に駆動用インターフェイス２５を内装するとともに、力覚センサー２６を内装して、上記した携帯電話１のイヤホンケーブル４を介して送信される入力信号にもとづいてロボットの玩具２の頭部１４を左右に旋回駆動制御したり、目１３を発光したり、口１９でしゃべったり、腕１５、脚１６を所定の高さに昇降駆動制御して、３次元の立体的な多機能の操作ができるようにしているものである。
【００１６】
このように玩具２を形成してイヤホン接続ケーブル４で吊り下げると、マリオネットのように歩いたり、踊ったり、走ったり、座ったりして多様に表出することができる。ロボットの代わりに四つ足動物としても同様に駆動でき、さらに図４のように花様の玩具２にあっても、インターフェイス２５を設けた制御回路２７を装着して、花弁２８部に装着している発光ＬＥＤ１８で季節や気分により色を変化させてたり、形状記憶合金２９で花弁２８を開閉したり、揺らしたり、モーター２１でプロペラ３０を旋回して香りの素子３１の香りを拡散させるなど、多様に表出するようにしている。
【００１７】
また、図５では、小鳥の卵状の玩具２のもので、モーター２１を内装して卵状の玩具２を図のように開閉可能とし、ひよこの口ばしをマグネットコイル２０で動かしたり、形状記憶合金２９を介して翼をパタパタと開閉させるようにし、さらに胸部に発光ＬＥＤ１８を装着して可変に変色できるようにしていいる。そして、携帯電話１よりインターネットサイトにアクセスし、ゲームにアクセスしてアニメーションにしたがい、番号を押す。番号に合わせて携帯電話１のディスプレイ上の小鳥は卵を口ばしでカッチ、カッチと突く。所定の番号にヒットすると、ディスプレイ上の卵と合わせ、玩具２の卵が羽化して開き、ひよこがピヨ・ピヨと鳴く。餌を与えると、翼をパタパタさせて喜ぶ。時計機能で時報をピヨピヨと知らせる。ディスプレイ上に鷹が現れると、ブルブル震える。体調が悪いと羽毛（胸の部分にＬＥＤ１８）が青色、調子がいいとピンクに光る。このようにして、ディスプレイ上のゲームに合わせて携帯電話１のテンキー５を押し、玩具２と合わせてインターネットサイトのゲームを楽しめる。
【００１８】
前記したロボットの玩具２においても、インターネットサイトにアクセスして旗上げゲームなどのアニメーションに接続し、ロボットの玩具２をディスプレイやマイクに合わせてロボットの左右の腕を上下してゲームをするようにできる。また、花の玩具２においても、花占いなどのゲームに接続し、花弁２８の色を変化させたり、正解するとモーター２１を旋回させて香りを出したりしてゲーム性を付加するようにできる。
【００１９】
なお、図６に示すように液晶ディスプレイやマイク等を取り付けて絵や文字を表示したり、音声を発するようにしたりすることもでき、またセンサーとして距離センサー、加速度センサー、角速度センサー、温度センサー、光センサー、位置センサー、角度センサー、臭センサーなどを１ないし複数個適宜に配設したり、アクチュエーターとしてシリンダー、形状記憶合金アクチュエーター、圧電アクチュエーター、ＣＣＤカメラなどを配設して、各部材を適宜なリンク機構、ギヤー機構、電子回路を介して連結して、歩いたり、走ったり、旋回したり、開閉したり、多様な立体的動作を行うように駆動制御することができる。
【００２０】
図７は、上記したアクチュエーター等を駆動制御する駆動制御ブロック回路３２の一例の概要を示したもので、駆動制御ブロック回路３２はトーンデコーダ・トーンエンコーダ制御プログラム、携帯電話テンキーデータ解析／データ変換プログラム、制御プログラム、入力プログラム、出力プログラムで基本構成している。トーンデコーダ・トーンエンコーダ制御プログラムのトーンデコーダ制御プログラムでは、携帯電話１のトーンデコーダからデータを受信し、トーンエンコーダ制御プログラムではトーンエンコーダにデータを送信するインタフェースを行う。
【００２１】
携帯電話テンキーデータ解析／データ変換プログラムのテンキーデータ解析プログラムでは、トーンデコーダから受信した携帯電話１のテンキーデータの解析を行って制御プログラムに伝信し、テンキーデータ変換プログラムでは制御プログラムからのデータを変換してトーンエンコーダ制御プログラムに伝信する。制御プログラムでは、各モードの管理、各モードにおけるコマンドに対応した上記各種アクチュエーター、表示器、各種センサー、オーディオ等の制御を行う。入力プログラムでは、各種センサー回路、オーディオ入力のインターフェースを行い、センサー入力データを制御プログラムに伝信し、出力プログラムでは上記各種アクチュエーター、表示器、オーディオへの出力のインターフェイスを行って制御プログラムのデータを出力する。
【００２２】
このようにして、上記した玩具２をリアルタイムに稼働、駆動させることができ、また複数の制御命令を組み合わせることにより、玩具２をマイコンのようにプログラム制御もので、予めプログラムした制御命令をインターネットサービスから呼び出し、単体の携帯電話１またはそれに代わる端末に登録し、実行することによって３次元世界での新たなサービス、娯楽を実現することができるものである。
【００２３】
携帯電話１のテンキー５からの送信方法としては、例えば＊ｎ１ｎ２＃のようにして、＊の入力で制御開始指令を、ｎ１、ｎ２の２つの数字の入力で所定の制御命令を、＃の入力で制御終了指令というように設定することで、上記のトーンデコーダ９でディジタル変換し、入出力の制御回路１１でその制御指令を分析してインターフェース回路１２を介して玩具２に制御命令を出力するようにできる。
【００２４】
したがって、テンキー５による入力信号の組み合わせで、いろいろな所要の信号を送信し、受信することができるもので、図８に示したように数字のｎ１、ｎ２の２文字の組み合わせや、１文字、３文字以上の組み合わせで行うことができる。例えば、１桁コマンドモードでは０〜９の数字キーのみで制御して＊＊１＃で切り替えられ、２桁コマンドモードでは０〜９の２文字の数字キーの組み合わせの＊ｎ１ｎ２＃として＊＊２＃で切り替えられ、＊＊３＃ではプログラムモードとして２桁コマンドモードの動作を連続して実行するようにできる。
【００２５】
そして、例えば携帯電話１のテンキー４で入力して送信されると、制御回路１１では図９のようにテンキー音変換アダプター７のトーンデコーダ９で送信信号をディジタル化して、その信号が不適であれば不受理の旨の信号をトーンデコーダ９を介して返信し、適正であれば受理の旨の信号をトーンエンコーダ８を介して玩具２に出力信号を送信して制御していくことができる。
【００２６】
例えば、図３に示したロボットの玩具２について説明すると、携帯電話１より＊を押してプログラムをスタートさせ、ついでテンキーの３、１を押して上腕部を形状記憶合金にそれぞれ通電して駆動するようにし、続いてテンキーの９、７を押してマグネットコイル２４、形状記憶合金にそれぞれ通電して大腿部を駆動するようにして、プログラムを実行させると、あたかも歩行しているように駆動制御することができる。また、各部位の駆動、発光、発声、探知等についても、携帯電話１のテンキー５の組み合わせで多数の動きを実現させることができる。
【００２７】
上記したプログラム例としては、次の表２のように設定して行うようにできる。
【表２】
表２  プログラム設定例
2004173928.tif 000004
【００２８】
また、図１０（ａ）のように携帯電話１より通話し、前記のアダプターを用い、遠隔からの通常通話により、受信側の変換アダプターに繋がる玩具２を駆動制御することもできる。また、図１０（ｂ）のように双方向で操作することも可能である。さらに、図１０（ｃ）のように玩具２にＩＤ番号等を付けて複数台の携帯電話間で所定のＩＤ番号の玩具２を駆動制御し合うこともできる。
【００２９】
なお、上記したようにプログラムモードを切り替えることにより、その制御内容は大きく広がり、より複雑な動きを実現させることができて、玩具をマイコン制御のようにプログラム制御することができる。
【００３０】
上記では、携帯電話のテンキー入力による発生音で制御するテンキー音変換アダプターを携帯電話に配設するようにして、汎用のアナログ回線を利用できて玩具を駆動制御するようにしたが、ディジタル式の携帯電話のテンキーの入力、またはディジタル電話回線を介してディジタル値を直接送信しても、携帯電話の接続ケーブルを介して同様にして玩具を駆動制御することもできる。その際、従来行われているように＃のテンキーを入力することで、トーンエンコーダ、トーンデコーダに替えてディジタルエンコーダ、ディジタルデコーダとして対応することができる。
【００３１】
さらに、図１１のようにインターネットサービス対応の携帯電話やそれに代わる端末より各種情報サイトにアクセスして、プログラムまたはデーターを選択し、イヤホンジャック３に接続された玩具２を駆動制御するようにもできる。予めインターネットサービス上にプログラムまたはデーターを登録して、ユーザーはインターネット対応の携帯電話１またはそれに代わる端末よりそのサイトにアクセスしてプログラムまたはデーターを選択し、例えば人物型の玩具の場合、ダンスモードを選択すると、「歌いながら踊りだす」プログラム等が返信されたり、上記したように小鳥のプログラム等が返信されたりして、携帯電話１に接続された玩具２を駆動制御するようにできる。
【００３２】
このように、携帯電話またはそれに代わる端末を用いて電話を単体制御できることに加え、図１２のように遠隔地からの単体操作、双方向操作、複数台からの操作なども可能である。また、インターネットサービス対応の電話機から各種情報サイトよりプログラムを選択しアクセスすることにより、上記したように玩具をマイコンのように駆動制御させることもできるものである。なお、本発明の趣旨にもとづいて適宜の変形態様を実施することができるもので、従来の着信報知を行えるようにすることも可能である。
【００３３】
【実施例】
図１〜図３は、本発明の携帯電話１にロボットの玩具２を接続した一実施例を示すもので、頭部１３の目１７に目を光らせることのできる発光ＬＥＤ１８を左右に配置するとともに、顔色を変化させる発光ＬＥＤ１８を頬の部分に配置し、顔色を変化させるようにしている。また、口１９の部分にはスピーカー２０を配置し、プログラムがスタートすると「こんにちは僕は○×です」と挨拶するなど、各プログラムに合わせて発声させることができる。また、頭部１３は角度センサー、ギアー、モーターと連動して３６０度回転させることができ、２回転すると目１７の発光ＬＥＤ１８が交互に点滅し、口１９のスピーカー２０からは「目がまわるー」などと発声することができる。
【００３４】
また、背部には力覚センサー２６を装着しており、衝撃により「乱暴にしないで」などと発声させることができる。さらに手足の駆動には、マグネットコイルを使用して手と足を連動させるようにしている。そして、プログラムにより、徒歩、スキップ、駆け足などと操作できる。また、形状記憶合金を利用し、左右にそれぞれ通電することにより、手足の表現数を多様化させることができる。このような機能を少なくとも複数種類使用して玩具２を形成している。各種アクチュエーター、センサーについては、図７に示すものを玩具２に応じて使用して操作を多様化することができるものである。
【００３５】
図４は、本発明の他の実施例を示すもので、上記した玩具２を植物の花様に形成したものである。花本体１４にインターフェイス２５を設けた制御回路２７を装着して、花弁２８部に装着した発光ＬＥＤ１８で季節や気分により色を変化させるようにし、形状記憶合金２９で花弁２８を開閉したり、揺らしたり、モーター２１で花プロペラ３０を旋回して香りの素子３１の香りを拡散させるなど、所定のプログラムにもとづいて３次元の立体的に駆動制御し、色彩、香りなども多様に変化させることができるものである。
【００３６】
図５は、本発明のさらに他の実施例を示すもので、玩具２を小鳥の卵状に形成し、インターネットサイトにアクセスし、ゲームにアクセスしてアニメーションにしたがって上記したように玩具２を携帯電話１のディスプレイにしたがって駆動制御するようにしている。このように３次元の立体的に駆動制御し、ディスプレイ上のゲームに合わせて携帯電話１のテンキー５を押してインターネットサイトのゲームを楽しむことができるものである。
【００３７】
その他の動物、昆虫、アニメ、自動車、ゲームグッズなどについても、本発明の趣旨にもとづいて適宜の３次元の立体的に駆動制御したりして多様に機能させることができるものである。
【００３８】
【発明の効果】
以上のように本発明にあっては、携帯電話のテンキー入力による発生音で制御するテンキー音変換アダプターを携帯電話に配設するようにして、上記携帯電話のイヤホンジャックにイヤホン端子接続ケーブルを介して３次元の立体的に駆動制御機器を配設した玩具を接続したので、所有者の自由意思によってテンキーで簡単に送信して駆動制御することができ、高価な端末装置やリモコン発信器を必要とせず、簡単に玩具を駆動制御することができ、携帯電話または別の携帯電話、通常の電話の通信による所有者の意思によるテンキーの入力での発生音を上記テンキー音変換アダプターでディジタル変換して、イヤホンジャックに接続した玩具を簡単に３次元の立体的に駆動制御することができる。
【００３９】
そして、必要により複数個の携帯電話にそれぞれの玩具を接続し、それぞれの所有者の携帯電話からそれぞれの玩具を駆動制御するようにしたことによって、複数個の携帯電話を使って仲間と楽しく玩具を駆動制御して楽しむことができる。
【００４０】
また、ディジタル電話に接続ケーブルを介して３次元の立体的に駆動制御する駆動制御機器を配設した玩具を接続し、そのディジタル電話のテンキーの入力またはディジタル電話回線を介して上記携帯電話に接続した玩具を３次元の立体的に駆動制御するとすることによって、テンキーのディジタル値をそのまま利用して上記のように携帯電話に接続した玩具を簡単に３次元の立体的に駆動制御することができる。
【００４１】
また、玩具を接続した携帯電話からインターネットの所要のサイトにアクセスして、このサイトを介して玩具を駆動制御することによって、インターネットの各種情報サイトから玩具をマイコンプログラムのように駆動制御することが可能となり、一層の多様化のすぐれた効果を奏するようにできる。
【００４２】
さらに、動物様、昆虫様、植物様、人物やアニメ、著作物のキャラクター様等に玩具を形成し、この玩具の目部に発光ＬＥＤ、口部にスピーカーやマイク、本体に頭部旋回用モーター、手足駆動用モーター等を配設して、携帯電話により玩具を３次元の立体的に駆動制御することによって、キャラクター等の玩具を目から発光したり、口でしゃべらしたり、頭を旋回したり、手足を上下したり、自由自在に駆動してより趣向性を高めることができる。
【図面の簡単な説明】
【図１】本発明の一実施例の概要説明図、
【図２】同上のテンキー音変換アダプター部の一部省略したブロック図、
【図３】同上のロボットの玩具の一実施例の説明用図、
【図４】同上の植物の玩具の一実施例の説明用の平面図（ａ）と側面図（ｂ）、
【図５】同上のさらに他の実施例の説明用図、
【図６】同上の実施例の多様化説明用図、
【図７】同上の制御ブロック回路説明用図、
【図８】同上のテンキー入力説明図、
【図９】テンキー音変換アダプター制御のフローチャート、
【図１０】同上の実施例の概要説明図（ａ）、（ｂ）、（ｃ）、
【図１１】同上のインターネットサイトとのアクセスの概要説明図、
【図１２】同上のさらに他の実施例の概要説明図。
【符号の説明】
１…携帯電話            ２…玩具          ３…イヤホンジャック
４…イヤホン接続ケーブル                            ５…テンキー
６…テンキー音変換アダプター
【図１】
2004173928.tif 000005
【図２】
2004173928.tif 000006
【図３】
2004173928.tif 000007
【図４】
2004173928.tif 000008
【図５】
2004173928.tif 000009
【図６】
2004173928.tif 000010
【図７】
2004173928.tif 000011
【図８】
2004173928.tif 000012
【図９】
2004173928.tif 000013
【図１０】
2004173928.tif 000014
【図１１】
2004173928.tif 000015
【図１２】
2004173928.tif 000016